(57)【特許請求の範囲】
【請求項１】
ケーシングと、前記ケーシング内に設けられて人体局部に向けて洗浄水を吐出する洗浄手段と、前記ケーシング下方の臭気を吸引して脱臭を行う脱臭ファンと、前記ケーシング外の空気を吸引して前記ケーシング内の換気を行なう換気ファンと、前記各ファンの上流側に配置されるフィルタと、を備えた衛生洗浄装置において、
前記フィルタが、前記各ファンにとって共通のものであって、前記各ファンが粉塵を吸引することを防ぐメッシュ部材を、前記脱臭ファンが空気を取り込むための吸気経路上と、前記換気ファンが空気を取り込むための吸気経路上と、にそれぞれ有することを特徴とする衛生洗浄装置。
【請求項２】
前記脱臭ファンの吸気経路と、前記換気ファンの吸気経路と、を異ならせ、前記脱臭ファンの吸気経路と前記換気ファンの吸気経路との間における空気の出入りを抑制する抑制手段を前記フィルタに設けたことを特徴とする請求項１に記載の衛生洗浄装置。
【請求項３】
前記ケーシングには前記フィルタの収納空間を形成し、前記収納空間に前記換気ファン及び脱臭ファンの吸気経路をそれぞれ連通させるとともに、
前記フィルタにフィルタを挿脱するための取手部を形成し、前記取手部には開口部を設け、前記換気ファンの吸気経路は、前記ケーシング外と前記換気ファンとを、前記開口部を介して連通するものであることを特徴とする請求項１または２に記載の衛生洗浄装置。
【発明の詳細な説明】
【技術分野】
【０００１】
本発明は、複数のファンを備える衛生洗浄装置に関する。
【背景技術】
【０００２】
従来、この種の衛生洗浄装置としては、水道水等の供給水を内部に取り込んで加熱した洗浄水を吐出させることで人体の局部洗浄を行なう洗浄手段を備え、排泄時に発生した臭気を便器のボウル内から取り込む脱臭ファンが組み込まれたものが知られている。また、脱臭ファンに加え、装置外から空気を取り込んで装置内の湿潤空気を装置外へと強制的に排出させる結露対策用の換気ファンを備えた衛生洗浄装置も知られている（例えば、特許文献１参照。）。これは、装置内の電装部品上への結露水の滴下によるショートや金属部品の錆の発生、または、結露水が装置外に漏れ出して床等を濡らすことを防ぐためのものである。
【先行技術文献】
【特許文献】
【０００３】
【特許文献１】特開２００２−２９４８１５号公報
【発明の概要】
【発明が解決しようとする課題】
【０００４】
衛生洗浄装置の外部から空気を取り込む脱臭ファン及び換気ファンは、装置付近の大気中に存在する紙粉やほこり等の粉塵をも同時に吸引してしまう可能性が高い。粉塵による各ファンや装置内の部品の劣化を防ぐために、粉塵の吸引を防ぐメッシュ部材を有するフィルタが各ファンの上流側に必要となる。その際、装置内部にファン毎にそれぞれフィルタを備えることとすると、部品の点数が増えてしまい、装置内部のスペースの確保がしにくくなるだけでなく、組み立て時の工数が増加してしまうという問題があった。さらに、使用者が衛生性を保つためにフィルタを定期的に洗浄する場合、手間が増えることになる。
【０００５】
そこで、本発明は、上述した課題を解決するためになされたものであり、脱臭ファン及び換気ファンが粉塵を吸引することを防ぐメッシュ部材を設けたフィルタを各ファンの上流側に配置する際に、ファン毎にそれぞれフィルタを備える場合に比べて部品点数を増やさない衛生洗浄装置を提供することを目的とする。
【課題を解決するための手段】
【０００６】
ケーシングと、ケーシング内に設けられて人体局部に向けて洗浄水を吐出する洗浄手段と、ケーシング下方の臭気を吸引して脱臭を行う脱臭ファンと、ケーシング外の空気を吸引してケーシング内の換気を行なう換気ファンと、各ファンの上流側に配置されるフィルタと、を備えた衛生洗浄装置において、フィルタが、各ファンにとって共通のものであって、各ファンが粉塵を吸引することを防ぐメッシュ部材を、脱臭ファンが空気を取り込むための吸気経路上と、換気ファンが空気を取り込むための吸気経路上と、にそれぞれ有することを特徴とする。
このように構成された本発明においては、各ファンの吸気経路上に位置するメッシュ部材をそれぞれ有する各ファンにとって共通のフィルタを備えるため、ファン毎にそれぞれフィルタを備える場合に比べて部品点数を削減することができ、そのため、装置内部におけるスペースが確保しにくくならないとともに、組み立て工数が増加しない。また、使用者が衛生性を保つためにフィルタを定期的に洗浄する場合において手間が増えることがない。
【０００７】
本発明において、好ましくは、脱臭ファンの吸気経路と、換気ファンの吸気経路とを異ならせ、脱臭ファンの吸気経路と換気ファンの吸気経路との間における空気の出入りを抑制する抑制手段をフィルタに設ける。
このように構成された本発明においては、脱臭ファンと換気ファンとの吸気経路を異ならせ、さらに、各吸気経路の間の空気の出入りを抑制する抑制手段をフィルタに設けたことで、各ファンが吸引した空気が互いに混在しにくくなり、脱臭と換気がより確実に行われる。
【０００８】
本発明において、好ましくは、ケーシングにはフィルタの収納空間を形成し、収納空間に換気ファン及び脱臭ファンの吸気経路をそれぞれ連通させるとともに、フィルタにフィルタを挿脱するための取手部を形成し、取手部には開口部を設け、換気ファンの吸気経路は、ケーシング外と前記換気ファンとを、開口部を介して連通するものである。
このように構成された本発明においては、フィルタには取手部を形成し、フィルタの収納空間に換気ファン及び脱臭ファンの吸気経路をそれぞれ連通しているため、フィルタの目詰まりの際に換気ファン及び脱臭ファンのフィルタの出し入れを一度に、且つ簡単に行うことができ、操作性が向上する。また、フィルタの取手部に設けた開口部を介してケーシング外と脱臭ファンの吸気経路とが連通するため、脱臭ファンがケーシング外から空気を取り込むための部品をフィルタ以外に新たに設けなくともよい。
【発明の効果】
【０００９】
本発明の衛生洗浄装置によれば、換気ファン及び脱臭ファンの各吸気経路上に位置するメッシュ部材をそれぞれ有するフィルタを備えるため、ファン毎にフィルタを備える場合よりも部品点数を削減でき、そのため、装置内部のスペースが確保しにくくならず、組み立て工数も増加せず、また、使用者が定期的にフィルタを洗う際の手間を減らすことができる。
【図面の簡単な説明】
【００１０】
【図１】本発明の第１実施形態による衛生洗浄装置を示す外観斜視図
【図２】本発明の第１実施形態による衛生洗浄装置内部を示す平面図
【図３】本発明の第１実施形態による衛生洗浄装置内部を示す図２のＡ−Ａ断面図
【図４】本発明の第１実施形態によるフィルタを示す外観図斜視図
【図５】本発明の第２実施形態による衛生洗浄装置内部を示す図２のＡ−Ａ断面図
【図６】本発明の第２実施形態によるフィルタを示す外観斜視図
【発明を実施するための形態】
【００１１】
以下、添付図面を参照して本発明の一実施形態による衛生洗浄装置について説明する。
図１は本発明の第１実施形態における衛生洗浄装置の外観斜視図、図２は本発明の第１実施形態における衛生洗浄装置内部を示す平面図である。図１に示すように、本発明の第１実施形態による衛生洗浄装置１は、水洗大便器（図示せず）上に設けられ、ケーシング２と、ケーシング２に上下方向へ開閉自在に取付けられた便蓋４と、便蓋４と同様にケーシング２に上下方向へ開閉自在に取付けられ使用者が着座する便座６と、使用者の着座を検知する着座検知手段（図示せず）と、ケーシング２内に進出自在に収納され人体局部に向けて洗浄水を吐出させる洗浄手段８とを備えている。
【００１２】
さらに、図２に示すように、洗浄水は、外部から衛生洗浄装置１に接続され内部に水を取り込む給水管（図示せず）から、洗浄手段８へと、流路を開閉する電磁弁１０及び水を加熱することが可能な加熱部１２を介して供給されるものである。また、衛生洗浄装置１はケーシング２内に、換気ファン１４と、脱臭ファン１６と、温風ファン１９とを備えている。換気ファン１４は、ケーシング２外の空気を吸引してケーシング２内に噴出させ換気を行う。脱臭ファン１６はケーシング２下方の臭気を吸引して脱臭を行ってダクト１８を通してケーシング外に排出する。温風ファン１９は、ケーシング２内から空気を吸引し加熱して人体局部を乾燥させる。使用者による局部洗浄の開始、脱臭ファン及び温風ファンの作動や洗浄水の温度の変更等は操作部（図示せず）により操作が可能で、洗浄水の温度や洗浄手段８の作動及び各ファン１４、１６、１９の駆動はケーシング２内に配置された制御部２０によって制御される。
【００１３】
次に、図３は本発明の第１実施形態による衛生洗浄装置内部を示す図２のＡ−Ａ断面図、図４は本発明の第１実施形態におけるフィルタの外観斜視図である。図３及び図４にて、本発明の第１実施形態におけるフィルタについて説明する。平板状のフィルタ２１は、換気ファン１４及び脱臭ファン１６の上流側、即ち換気ファン１４及び脱臭ファン１６の下方に配置される。また、フィルタ２１は、換気ファン１４及び脱臭ファン１６が粉塵を吸引することを防ぐため、換気ファン１４及び脱臭ファン１６がケーシング２外から空気を吸引するための吸気経路２２ａ、２２ｂ上に位置するメッシュ部材２４ａ、２４ｂをそれぞれ設けている。
【００１４】
換気ファン１４の吸気経路２２ａは、ケーシング２外の側方空間と、換気ファン１４の空気の吸い込み口である吸気面１５と、をフィルタ２１のケーシング２外側端部に形成された取手部２１ａに設けられた開口部２１ｂ及びケーシング２の側面下部に設けられた開口部２ａを介して連通するものである。一方、脱臭ファン１６の吸気経路２２ｂは、ケーシング２下方の水洗大便器のボウル（図示せず）の内側空間と、脱臭ファン１６の空気の吸い込み口である吸気面１７と、をケーシング２の下面に設けられた開口部２ｂを介して連通するものである。
【００１５】
平板状のフィルタ２１はケーシング２外の側面下部から換気ファン１４及び脱臭ファン１６の上流側、即ち下方に位置するようにケーシング２内の収納空間２６に挿入されており、取手部２１ａにより使用者が挿脱することが可能になっている。また、フィルタ２１の上面及び下面のメッシュ部材２４ａと２４ｂとの間、即ちフィルタ２１の中央部には、奥側から手前側に亘って突起部２１ｃが延設されている。突起部２１ｃは、換気ファン１４の吸気経路２２ａと脱臭ファン１６の吸気経路２２ｂとの間における空気の出入りを抑制する抑制手段である。突起部２１ｃよりもメッシュ部材２４ｂ側には、爪部２１ｄが下方に向けて形成されている。爪部２１ｄは使用者がフィルタ２１を挿入した際にケーシング２内の上方に向いた爪部２ｃと接触して挿入感を与えるとともに、容易に抜けてしまうことを防ぐ。さらに、換気ファン１４側の奥側及び手前側の側壁下面には、収納空間２６内の凹部２ｄと係合しする下方へ突出した傾斜防止部２１ｅを備えている。傾斜防止部の高さは好ましくは略０．１ｍｍである。傾斜防止部２１ｅによりフィルタ２１が取手部２１ａ側に傾くことが防止されるため、ケーシング２側面下部の開口部２ａに対して取手部２１ａに設けられた開口部２１ｂがずれてしまうことがなく、より確実に換気ファン１４による換気が行われる。
【００１６】
以下、第１実施形態である衛生洗浄装置の動作について説明する。
使用者が便座６に着座した際、図示しない着座検知手段により使用者の着座を検知すると、換気ファン１４が駆動し始める。換気ファン１４は、ケーシング２外の側方空間から吸気経路２２ａを介して吸気面１５へと空気を吸引し、ケーシング２内に噴出させることでケーシング２内を換気する。排泄後、使用者が洗浄開始操作を行うと、外部から電磁弁１０及び加熱部１２を介して供給された洗浄水を洗浄手段８により吐出させ、使用者の局部を洗浄する。また、使用者が脱臭ファン１６の作動操作を行うと、ケーシング２下方の図示しないボウルの内側空間から吸気経路２２ｂを介して吸気面１７へと臭気を吸引して脱臭を行い、ダクト１８を通してケーシング２外へと排気する。その後、使用者の離座を図示しない着座検知手段が検知すると、検知してから所定時間経過した後に換気ファン１４の駆動を停止させる。所定時間は好ましくは３０分である。
【００１７】
換気ファン１４及び脱臭ファン１６が駆動する際、フィルタ２１が換気ファン１４及び脱臭ファン１６に対するメッシュ部材２４ａ、２４ｂを吸気経路２２ａ、２２ｂを全体的に遮る様に備えているため、換気ファン１４及び脱臭ファン１６が粉塵を吸引することがない。さらに、換気ファン１４及び脱臭ファン１６それぞれに対してフィルタを備える場合に比べて部品点数を削減できる。また、ケーシング２外の側方空間から空気を吸引する換気ファン１４の吸気経路２２ａと、ケーシング２下方の図示しないボウルの内側空間から空気を吸引する脱臭ファン１６の吸気経路２２ｂとを異ならせ、フィルタ２１には、吸気経路２２ａと吸気経路２２ｂの間における空気の出入りを抑制する突起部２１ｃを形成している。そのため、図示しないボウルの内側空間における比較的湿潤な空気を換気ファン１４が吸引してケーシング２内に噴出させてケーシング２内の湿度を高めてしまうことが防止される。
【００１８】
次に、図６は本発明の第１実施形態の変形例である第２実施形態による衛生洗浄装置内部を示す図２のＡ−Ａ断面図、図７は第２実施形態におけるフィルタを示す外観斜視図である。図６及び図７にて、第２実施形態について説明する。この第２実施形態において、第１実施形態と同一部分には同一符号を付し、説明を省略するとともに、異なる部分のみ説明する。
フィルタ２１のメッシュ部材２４ａと２４ｂとの間、即ちフィルタ２１の中央部には、メッシュ部材２４ａ側がより上方となるように段差部２１ｃ´が形成されている。段差部２１ｃ´は、換気ファン１４の吸気経路２２ａと脱臭ファン１６の吸気経路２２ｂとの間における空気の出入りを抑制する抑制手段である。
【００１９】
この場合、使用者が便座６に着座した際、図示しない着座センサにより使用者の着座を検知すると、換気ファン１４が駆動しケーシング２外の側方空間から吸気経路２２ａを介して吸気面１５へと空気を吸引する。使用者が脱臭ファン作動操作を行うと、ケーシング２下方の図示しないボウルの内側空間から吸気経路２２ｂを介して吸気面１７へと臭気を吸引する。ケーシング２外の側方空間から空気を吸引する換気ファン１４の吸気経路２２ａと、ケーシング２下方の図示しないボウルの内側空間から空気を吸引する脱臭ファン１６の吸気経路２２ｂとを異ならせ、フィルタ２１には、吸気経路２２ａと吸気経路２２ｂの間における空気の出入りを抑制する段差部２１ｃ´を形成している。そのため、図示しないボウルの内側空間における比較的湿潤な空気を換気ファン１４が吸引してケーシング２内に噴出させてケーシング２内の湿度を高めてしまうことが防止される。また、フィルタ２１にメッシュ部材２４ａ側がより上方になるように段差部２１ｃ´が形成されているため、第１実施形態に比べて、取手部２１ａに形成された開口部２１ｂの高さを上方に向けて大きくできる。そのため、開口部２１ｂの開口面積が大きくなり、より確実に空気を吸引することができる。
【符号の説明】
【００２０】
１…衛生洗浄装置
２…ケーシング
２ａ、２ｂ…開口部
２ｃ…爪部
２ｄ…凹部
４…便蓋
６…便座
８…洗浄手段
１０…電磁弁
１２…加熱部
１４…換気ファン
１５…換気ファンの吸気面
１６…脱臭ファン
１７…脱臭ファンの吸気面
１８…脱臭ファンのダクト
１９…温風ファン
２０…制御部
２１…フィルタ
２１ａ…取手部
２１ｂ…開口部
２１ｃ…突起部
２１ｃ´…段差部
２１ｄ…爪部
２１ｅ…傾斜防止部
２２ａ、２２ｂ…吸気経路
２４ａ、２４ｂ…メッシュ部材
【図１】
0005800284.tif 000002
【図２】
0005800284.tif 000003
【図３】
0005800284.tif 000004
【図４】
0005800284.tif 000005
【図５】
0005800284.tif 000006
【図６】
0005800284.tif 000007